(57)【特許請求の範囲】
【請求項１】
スラムシャット（パタンと閉める）安全装置であって、
入口、出口を有し、前記入口と前記出口との間に延在する流れ経路を画定する弁体であって、前記入口と前記出口との間に配設されるオリフィスを取り囲む弁座を含む、弁体と、
前記弁体に接続され、末端表面を有する喉部と、
前記弁体内に配設される弁ディスクであって、前記弁ディスクが前記弁座から離間する第１の開放位置と、前記弁ディスクが前記弁座に対して着座する第２の閉鎖位置との間でスラムシャット軸に沿って移行可能であり、径方向肩部を含む、弁ディスクと、
前記弁ディスクに動作可能に連結され、前記第１の開放位置に前記弁ディスクを配置する非作動位置と、前記第２の閉鎖位置に前記弁ディスクを配置する作動位置との間で、前記弁体に対して前記スラムシャット軸に沿って移行可能である、リセットピンであって、アクチュエータの前記非作動位置から前記作動位置への前記リセットピンの移行に応答するように配列される、リセットピンと、
前記弁ディスクに接続され、前記弁ディスクから離れて少なくとも部分的に前記リセットピンの上に延在する中空円筒部分を含むガイドカラーであって、前記弁体に接続され、前記リセットピンを支持するスラムシャット本体のガイド穴に摺動可能に配設され、それによって前記リセットピンおよび弁ディスクへのさらなる構造完全性を提供する、ガイドカラーと、を備え、
前記径方向肩部は、前記弁ディスクが前記第１の開放位置にあるとき、前記喉部の前記末端表面に当接する、
スラムシャット安全装置。
【請求項２】
前記ガイドカラーが、前記弁ディスクが前記開放位置にあるときに、前記ガイドカラーの大部分が前記ガイド穴の内側に配設される退避位置と、前記弁ディスクが前記閉鎖位置にあるときに、前記ガイドカラーの大部分が前記ガイド穴の外側に配設される延在位置との間で、前記スラムシャット軸に沿って移行可能である、請求項１に記載の装置。
【請求項３】
前記ガイドカラーと前記ガイド穴の内壁との間に配設される１つ以上の位置合わせ部材をさらに備える、請求項１または２のいずれかに記載の装置。
【請求項４】
前記１つ以上の位置合わせ部材が、前記ガイドカラーの外壁に形成される円周陥凹内に担持される１つ以上の円周位置合わせ部材を含む、請求項３に記載の装置。
【請求項５】
前記ガイドカラーが、前記弁ディスクの周辺部分から延在する、請求項１〜４のいずれかに記載の装置。
【請求項６】
前記リセットピンの末端と前記弁ディスクとの間に配設されるプラグ支持部をさらに備える、請求項１〜５のいずれかに記載の装置。
【請求項７】
前記プラグ支持部が、前記弁ディスク中の開口部を通って延在する突出部を含む、請求項６に記載の装置。
【請求項８】
前記リセットピンの周りに配設され、前記閉鎖位置に向かって前記弁ディスクを付勢するばねをさらに備える、請求項１〜７のいずれかに記載の装置。
【請求項９】
前記弁ディスクおよび前記ガイドカラーが１つの部品である、請求項１〜８のいずれかに記載の装置。
【請求項１０】
前記ガイドカラーが、ねじ接続部、溶接継手、摩擦嵌合継手、ピン継手、接着剤継手、締結具接続部のうちの１つ以上を含む固定装置によって前記弁ディスクに接続される、請求項１〜８のいずれか１項に記載の装置。
【請求項１１】
スラムシャット安全装置であって、
弁体に接続されるように適合され、末端表面を含む、喉部を含む、スラムシャット本体と、
前記スラムシャット本体によって支持され、前記喉部から外へ延在するリセットピンであって、前記スラムシャット本体の中に退避した非作動位置と、前記非作動位置に対して前記スラムシャット本体から外へ延在する作動位置との間で、スラムシャット軸に沿って移行可能であり、かつアクチュエータの前記非作動位置から前記作動位置への前記リセットピンの移行に応答するように配列される、リセットピンと、
前記スラムシャット本体の前記喉部の外側で前記リセットピンの末端に動作可能に連結される弁ディスクであって、前記スラムシャット本体が前記弁体に接続されるときに、前記弁体内に配設されるように適合され、かつ前記リセットピンが前記非作動位置にあるときの第１の開放位置と、前記リセットピンが前記作動位置にあるときの第２の閉鎖位置との間で前記スラムシャット軸に沿って移行可能であり、前記弁ディスクが前記第１の開放位置にあるとき、前記スラムシャット本体の前記喉部の前記末端表面に当接する径方向肩部を含む、弁ディスクと、
前記弁ディスクに接続され、前記弁ディスクから離れて少なくとも部分的に前記リセットピンの上に延在する中空円筒部分を含むガイドカラーであって、前記スラムシャット本体のガイド穴内に摺動可能に配設される、ガイドカラーと、を備え、
前記ガイドカラーが、前記弁ディスクが前記開放位置にあるときに、前記ガイドカラーの大部分が前記ガイド穴の内側に配設される退避位置と、前記弁ディスクが前記閉鎖位置にあるときに、前記ガイドカラーの前記大部分が前記ガイド穴の外側に配設される延在位置との間で、前記スラムシャット軸に沿って移行可能である、スラムシャット安全装置。
【請求項１２】
前記ガイドカラーと前記ガイド穴の内壁との間に配設される１つ以上の位置合わせ部材をさらに備える、請求項１１に記載の装置。
【請求項１３】
前記１つ以上の位置合わせ部材が、前記ガイドカラーの外壁に形成される円周陥凹内に
担持される１つ以上の円周位置合わせ部材を含む、請求項１２に記載の装置。
【請求項１４】
前記ガイドカラーが、前記弁ディスクの周辺部分から延在する、請求項１１〜１３のいずれか１項に記載の装置。
【請求項１５】
前記リセットピンの末端と前記弁ディスクとの間に配設されるプラグ支持部をさらに備える、請求項１１〜１４のいずれか１項に記載の装置。
【請求項１６】
前記プラグ支持部が、前記弁ディスク中の開口部を通って延在する突出部を含む、請求項１５に記載の装置。
【請求項１７】
前記リセットピンの周りに配設され、前記閉鎖位置に向かって前記弁ディスクを付勢するばねをさらに備える、請求項１１〜１６のいずれか１項に記載の装置。
【請求項１８】
前記弁ディスクおよび前記ガイドカラーが１つの部品である、請求項１１〜１７のいずれか１項に記載の装置。
【請求項１９】
前記ガイドカラーが、ねじ接続部、溶接継手、摩擦嵌合継手、ピン継手、接着剤継手、締結具接続部のうちの１つ以上を含む固定装置によって前記弁ディスクに接続される、請求項１１〜１７のいずれか１項に記載の装置。
【請求項２０】
スラムシャット安全装置であって、
入口、出口を有し、前記入口と前記出口との間に延在する流れ経路を画定する弁体であって、前記入口と前記出口との間に配設されるオリフィスを取り囲む弁座を含む、弁体と、
前記弁体内に配設される弁ディスクであって、前記弁ディスクが前記弁座から離間する第１の開放位置と、前記弁ディスクが前記弁座に対して着座する第２の閉鎖位置との間でスラムシャット軸に沿って移行可能である、弁ディスクと、
前記弁ディスクに動作可能に連結され、前記第１の開放位置に前記弁ディスクを配置する非作動位置と、前記第２の閉鎖位置に前記弁ディスクを配置する作動位置との間で、前記弁体に対して前記スラムシャット軸に沿って移行可能であるリセットピンであって、アクチュエータの前記非作動位置から前記作動位置への前記リセットピンの移行に応答するように配列される、リセットピンと、
前記弁ディスクに隣接した前記弁体内に生じた流体力の有害作用から前記リセットピンを保護するために前記弁ディスクに連結される第１手段と、を備え、
前記弁ディスクは、前記弁ディスクが前記第１の開放位置にあるとき、前記弁ディスクに隣接した前記弁体内に生じた流体力の有害作用から前記リセットピン及び前記第１手段を保護するための第２手段を含む、
スラムシャット安全装置。
【発明の詳細な説明】
【技術分野】
【０００１】
本開示は、一般に、ガス供給システムのための流体制御要素、より具体的には、ガス供給システムのためのスラムシャット安全装置に関する。
【背景技術】
【０００２】
天然ガスを供給するために使用されるシステム等のガス供給システムは、通常、一連の配管に沿って、一連の弁を通って、生産者から消費者へとガスを輸送する。それぞれのガス供給システムは、この供給システム内のガスの圧力を制御する１つ以上の調整弁を含み得る。通常、ガスは、このシステムを通じて高圧で送られる。しかしながら、ガスの圧力は、消費者への最終供給の前に低減されなければならない。この減圧は、通常、ローカルネットワーク内の減圧ステーションで達成される。
【０００３】
通常、これらの減圧ステーションは、１つ以上の圧力調整弁と、圧力調整弁が故障した場合にガスの流れを遮断するための何らかの安全装置とを備える。最も一般的には、スラムシャット安全弁がこの目的のために使用される。例えば、米国特許第４，１３４，４２１号（参照により本明細書に組み込まれる）は、輸送管における超過圧力保護を提供するスラムシャット安全弁を開示する。スラムシャット安全弁の別の例は、米国特許第８，２２５，８１２号に開示されており、これも参照により本明細書に組み込まれる。スラムシャット安全弁は、概して、圧力調整弁の上流に配置され、これにより、スラムシャット弁は、圧力調整弁が故障した場合に、ガスが圧力調整弁に到達するのを防ぐことができる。スラムシャット安全弁は、圧力調整弁の下流のガス圧の最大限および最小限の圧力耐性について監視する。下流圧力が最大限および最小限の耐性を超える場合、スラムシャット安全弁は閉口し、圧力調整弁へのガスの流れを止め、圧力調整弁の故障による制御されていないガス漏出を防ぐ。
【０００４】
既知のスラムシャット安全弁は、超過圧力または過小圧力状態を検知するときに、弁座の近くにある弁オリフィスを覆う弁ディスクを有する。弁ディスクは、リセットピンに連結され、リセットピンは順に、超過圧力または過小圧力状態を検知するアクチュエータに取り付けられる。リセットピンは、通常、開放または非作動位置にあり、開放位置に弁座から離れて弁ディスクを配置する。万が一、アクチュエータが適切な遮断状態を検知した場合、このアクチュエータはリセットピンを解除し、弁ディスクが弁座に対して閉鎖位置に移行する。
【０００５】
従来のスラムシャット装置では、リセットピンは、流体の流れに露出されている。さらに、ある特定の流れ条件下で、例えば、比較的高い流れ条件下で、流体流れによって生じた力は、リセットピンの適切な動作に影響を及ぼし得、さらに、リセットピンを変形させ（例えば、折り曲げ）得る。
【発明の概要】
【０００６】
本開示の一態様は、弁体、弁ディスク、レストピン、およびガイドカラーを含むスラムシャット安全装置を提供する。弁体は、入口、出口を有し、入口と出口との間に延在する流れ経路を画定する。弁体はまた、入口と出口との間で配設されるオリフィスを取り囲む弁座も含む。弁ディスクは、弁体内に配設され、弁ディスクが弁座から離間する第１の開放位置と、弁ディスクが弁座に対して着座する第２の閉鎖位置との間でスラムシャット軸に沿って移行可能である。リセットピンは、弁ディスクに動作可能に連結され、第１の開放位置に弁ディスクを配置する非作動位置と、第２の閉鎖位置に弁ディスクを配置する作
動位置との間で、弁体に対してスラムシャット軸に沿って移行可能である。リセットピンは、アクチュエータの非作動位置から作動位置へのリセットピンの移行に応答するように配列される。ガイドカラーは、弁ディスクに接続され、弁ディスクから離れて少なくとも部分的にリセットピンの上に延在する中空円筒部分を含む。ガイドカラーはまた、弁体に接続され、リセットピンを支持するスラムシャット本体のガイド穴内に摺動可能に配設され、それによってレストピンおよび弁ディスクへのさらなる構造完全性を提供する。
【０００７】
本開示の別の態様は、スラムシャット本体、リセットピン、弁ディスク、およびガイドカラーを含むスラムシャット安全装置を提供する。スラムシャット本体は、弁体に接続されるように適合された喉部を含む。リセットピンは、スラムシャット本体によって支持され、喉部から外へ延在する。リセットピンは、スラムシャット本体に退避される非作動位置と、退避位置に対してスラムシャット本体から外へ延在する作動位置との間でスラムシャット軸に沿って移行可能である。リセットピンは、アクチュエータの非作動位置から作動位置へのリセットピンの移行に応答するように配列される。弁ディスクは、スラムシャット本体の喉の外側でリセットピンの末端に動作可能に連結され、スラムシャット本体が弁体に接続されるときに、弁体内に配設されるように適合される。弁ディスクは、リセットピンが非作動位置にあるときの第１の開放位置と、リセットピンが作動位置にあるときの第２の閉鎖位置との間でスラムシャット軸に沿って移行可能である。ガイドカラーは、弁ディスクに接続され、弁ディスクから離れて少なくとも部分的にリセットピンの上に延在する中空円筒部分を含む。ガイドカラーはまた、スラムシャット本体のガイド穴内に摺動可能に配設され、そのため、ガイドカラーが、弁ディスクが開放位置にあるときに、ガイドカラーの大部分がガイド穴の内側に配設される退避位置と、弁ディスクが閉鎖位置にあるときに、ガイドカラーの大部分がガイド穴の外側に配設される延在位置との間で、スラムシャット軸に沿って移行可能である。
【０００８】
本開示のさらに別の態様は、入口、出口を有し、入口と出口との間で延在する流れ経路を画定する弁体を含むスラムシャット安全装置を提供する。弁体はまた、入口と出口との間に配設されるオリフィスを取り囲む弁座を含む。本装置は、弁体内に配置され、弁ディスクが弁座から離間する第１の開放位置と、弁ディスクが弁座に対して着座する第２の閉鎖位置との間でスラムシャット軸に沿って移行可能である、弁ディスクをさらに含む。本装置は、弁ディスクに動作可能に連結され、第１の開放位置に弁ディスクを配置する非作動位置と、第２の閉鎖位置に弁ディスクを配置する作動位置との間で、弁体に対してスラムシャット軸に沿って移行可能であるリセットピンをさらに含む。リセットピンはまた、アクチュエータの非作動位置から作動位置へのリセットピンを移行に応答するように配列される。本装置はなお、弁ディスクに隣接した弁体中に生じた流体力の有害作用からリセットピンを保護するために弁ディスクに連結される手段と、をさらに含む。
【図面の簡単な説明】
【０００９】
【図１】先行技術のスラムシャット安全弁の、閉鎖位置にある弁ディスクを示す断面図である。
【図２】開放位置にある弁ディスクを示す、図１のスラムシャット安全弁の拡大切断図である。
【図３】ガイド弁ディスクを組み込む、本開示の教示に従って構成されたスラムシャット安全弁の断面図である。
【図４】閉鎖位置にある弁ディスクを示す、図３のスラムシャット安全弁の拡大切断図である。
【図５】開放位置にある弁ディスクを示す、図３のスラムシャット安全弁の拡大切断図である。
【発明を実施するための形態】
【００１０】
ここで、図面を参照すると、図１および２は、既知のスラムシャット安全装置１０の一例を例示する。スラムシャット安全装置１０は、ガス供給システムにおいて主要な調整装置（図示せず）に取り付けられ、主要な調整装置の故障の場合には、安全遮断機能を提供し得る。スラムシャット安全装置１０は、弁部１１、スラムシャット部１３、およびアクチュエータ１５を含む。弁部１１は、流れ経路１８を形成する流体通路によって接続される流体入口１４および流体出口１６を有する弁体１２を含む。弁座２０は、弁体１２内に配設され、流れ経路１８の一部を形成する流れオリフィス２１を画定する。そのため、スラムシャット安全装置１０を通って流れる流体は、流体入口１４から弁座２０（および弁座２０によって形成される流れオリフィス２１）を含む流れ経路１８を通って流体出口１６へと流れる。
【００１１】
スラムシャット部１３は、超過圧力または過小圧力状態が主要な調整装置の下流で検知されるときに、弁座２０と協働して、弁体１２を通る流体流れを制限する弁ディスク２２を含む。弁ディスク２２は、流体オリフィス２１を閉鎖するために、弁座２０に向かって弁体１２内で摺動し、流体オリフィス２１を開放するために、弁座２０から離れる。通常、アクチュエータ１５は、１つ以上のばね２８を収容する筺体２６を含み、ばね２８は、通常、ダイアフラム３０に接続される。ダイアフラム３０は、アクチュエータ１５内の圧力変化に敏感であり、圧力変化に応答してアクチュエータ筺体２６内で動く。ダイアフラム３０は、筺体２６内でダイアフラム３０と連動して長手方向に動くバックプレート３２に接続される。バックプレート３２は、カム３４と相互作用し、リセットピン３６を係合または解除する。リセットピン３６は、弁ディスク２２が流れオリフィス２１を開放する開放位置で弁座２０から離間する退避または非作動位置と、弁ディスク２２が流れオリフィス２１を閉鎖する閉鎖位置で弁座２０に対して着座する延在または作動位置との間で弁体１２に対してスラムシャット軸Ａに沿って移行可能である。
【００１２】
スラムシャット部は、弁ディスク２２を閉鎖位置に向かって付勢するように作用するばね３７または他の好適な付勢する機構を含む。そのため、リセットピン３６は、アクチュエータ１５が超過圧力状態または過小圧力状態のいずれかを検知するときに、非作動位置と作動位置との間で移行可能である。アクチュエータ１５は、カム３４に対しリセットピン３６を解除させ、その結果、ばね３７は、リセットピン３６、ひいては、弁ディスク２２を弁座２０に向かって摺動させ、最終的には、弁ディスク２２を弁座２０と接触させ、流れオリフィス２１を閉鎖し、弁体１２内で流れ経路１８を通る流体流れを遮断する。
【００１３】
図２は、スラムシャット安全装置１０のスラムシャット部１３の近景図を示す。リセットピン３６が弁ディスク２２に接続されて示され、リセットピン３６は、弁座２０から離間する開放位置に弁ディスク２２を配置する非作動位置に配設されている。リセットピン３６は、非作動位置に位置付けられる場合、カム３４が、弁ディスク２２が弁座２０から離間する非作動位置（装備位置とも称され得る）にリセットピン３６を取り外し可能に保持することができるように、カム３４または他の好適なラッチ機構によって適所に保持される。カム３４がアクチュエータ１５によって作動されるときに、カム３４は、リセットピン３６を解除し、弁ディスク２２が弁座２０に向かって摺動するか、またはそうでなければ、弁座２０に向かって移行して、スラムシャット安全装置１０を閉鎖し、弁体１２の流れ経路１８を通る流体流れを防ぐ。
【００１４】
ここで、図３〜５を参照すると、本開示の教示に従って組み立てられたスラムシャット安全装置１１０が示される。スラムシャット安全装置１１０は、図１および２に関して上で論じられたスラムシャット安全装置１０と同様であり得、したがって、同じか、または同様の要素は、同じ参照番号を有するが、参照番号が１００だけ増加する。再度述べるが、スラムシャット安全装置１１０は、ガス供給システムにおいて主要な調整装置（図示せず）に取り付けられ、主要な調整装置の故障の場合には、安全遮断機能を提供し得る。図
３に示されるように、スラムシャット安全装置１１０は、スラムシャット部１１３およびアクチュエータ１１５を含み得、弁部１１１に接続されるように適合される。弁部１１１は、流体入口１１４と流体出口１１６とを有する弁体１１２を含み、入口１１４および出口１１６は流れ経路１１８を形成する流体通路によって接続される。図３〜５に示されるように、弁座１２０は、弁体１１２内に配置され、流れ経路１１８の一部を形成する流れオリフィス１２１を画定する。そのため、弁部１１１を通って流れる流体は、流体入口１１４から弁座１２０（および弁座１２０によって形成される流れオリフィス１２１）を含む流れ経路１１８を通って流体出口１１６へと流れる。
【００１５】
図３に示される変形例では、スラムシャット安全装置１１０は、スラムシャット部１１３の弁ディスク１２２を受容するために弁体１１２の喉部１４１内に実装されるケージ１４０を含む。しかしながら、他の変形例は、図４および５に示されるものと同様に、ケージ１４０を含まない。
【００１６】
図３〜５のスラムシャット部１１３は、スラムシャット本体１５１と、スラムシャット本体１５１のリセット穴１５５内に摺動可能に配設されるリセットピン１３６とを含む。示されるように、リセットピン１３６およびリセット穴１５５は、一般的なスラムシャット軸Ａ（図３に示される）上に配設される。スラムシャット本体１５１は、リセット穴１５５と弁体１１２の喉部１４１との間に配設される喉部１５３をさらに画定する。スラムシャット本体１５１の喉部１５３は、弁体１１２の喉部１４１に接続される。図１および２に示される例と同様に、弁ディスク１２２は、超過圧力または過小圧力状態を主要な調整装置の下流で検知するときに、弁座１２０と協働して、スラムシャット安全装置１１０を通る流体流れを制限する。弁ディスク１２２は、アクチュエータ１１５の作動に応答して、流体オリフィス１２１を閉鎖するために、弁座１２０に向かってスラムシャット軸Ａに沿って移行し、既知の様式において、リセットピン１３６の操作に応答して、流体オリフィス１２１を開放するために、弁座２０から離れてスラムシャット軸Ａに沿ってさらに移行するように、リセットピン１３６の末端１３６ａに動作可能に接続される。
【００１７】
図４および５を参照すると、スラムシャット安全装置１１０の本変形例は、リセットピン１３６の末端１３６ａに弁ディスク１２２を動作可能に接続するプラグ支持部１６０を含む。プラグ支持部１６０は、本体部１６４と、本体部１６４から離れて延在する突出部１６６とを含む。本体部１６４は、リセットピン１３６の末端１３６ａを受容し、これに接続されるブラインドボア１６８を画定する全体的に円筒形の形態を含む。また、既知の様式において、プラグ支持部１６０をリセットピン１３６に接続するために、クリップ１６５も含まれ得る。突出部１６６はまた、全体的に円筒形の形態を含むが、本体部１６４の直径よりも実質的には小さい直径を有する。示されるように、突出部１６６は、弁ディスク１２２の中央開口部１２２ａを通って延在する。開示される変形例において、弁座１２０に対し、弁ディスク１２２の位置合わせを容易に行うために突出部１６６に沿って軸方向に制限された距離で弁ディスク１２２を浮かせることができる様式において、プラグ支持部１６０上の弁ディスク１２２を保持するために、ロッキングクリップ１７０を突出部１６６に固定する。
【００１８】
図３に戻って参照すると、スラムシャット安全装置１１０の本変形例のアクチュエータ１１５は、１つ以上のばね１２８を収容する筺体１２６を含み、ばね１２８は、通常、ダイアフラム１３０に接続される。ダイアフラム１３０は、アクチュエータ１１５内の圧力変化に敏感であり、圧力変化に応答してアクチュエータ筺体１２６内で移行する。ダイアフラム１３０は、バックプレート１３２に接続され、筺体１２６内でダイアフラム１３０に連動して長手方向に動く。バックプレート１３２は、カム１３４と相互作用し、リセットピン１３６を係合または解除する。前述のように、リセットピン１３６は、弁ディスク１２２が流れオリフィス１２１を開放する開放位置（図５）で弁座１２０から離間する退
避または非作動位置と、弁ディスク１２２が流れオリフィス１２１を閉鎖する閉鎖位置（図３および４）で弁座１２０に対して着座する延在または作動位置との間で弁体１１２に対してスラムシャット軸Ａに沿って移行可能である。スラムシャット部１１３は、プラグ支持部と、スラムシャット本体１５１に実装され、弁ディスク１２２に隣接したばね座１７１との間で、リセットピン１３６の末端１３６ａ付近に、ばね１３７または他の好適な付勢する機構をさらに含む。ばね１３７は、弁ディスク１２２を閉鎖位置に向かって付勢するように作用する。
【００１９】
その結果、前述のように、リセットピン１３６は、アクチュエータ１１５が超過圧力または過小圧力状態のいずれかを検知するときに、非作動位置と作動位置との間でスラムシャット軸Ａに沿って移行可能である。アクチュエータ１１５は、カム１３４に対しリセットピン１３６を解除し、そのため、ばね１３７は、リセットピン１３６、ひいては、弁ディスク１２２を弁座１２０に向かって摺動させるか、またはそうでなければ、弁座１２０に向かってスラムシャット軸Ａに沿って移行させ、最終的には、弁ディスク１２２を弁座１２０と接触させ、流れオリフィス１２１を閉鎖し、流れ経路１１８を通る流体流れを遮断する。より具体的には、図４に示されるように、ばね１３７は、リセットピン１３６、プラグ支持部１６０、および弁ディスク１２２を弁座１２０に向かってそして閉鎖位置にする原因となる。閉鎖位置を占めるとき、弁ディスク１２２の陥凹前面１９２内に担持される第１の封止挿入体１９１は、オリフィス１２１の末端１９３を封止係合して、流体密封封止を提供する。さらに、閉鎖位置にあるときに、弁ディスク１２２の背面１９４上に担持される第２の封止挿入体１９５は、プラグ支持部１６０の肩表面１９７によって封止係合される。肩表面１９７と第２の封止挿入体１９５との間の封止係合は、流体が弁ディスク１２２の中央開口部１２２ａを通って漏出するのを防ぐ流体密封封止を提供する。
【００２０】
装置の動作中、弁ディスク１２２が開放位置にあるとき、または閉鎖位置から離れて変位した別の位置にあるとき、流体は、弁体１１２を通って流れ、流体力は、弁ディスク１２２に作用する。上述のように、図１および２について、そのような流体力は、例えば、従来のスラムシャット安全装置１０のリセットピン３６等の弁ディスク１２２を支持する構造物を変形させるには十分高いものであり得る。
【００２１】
しかしながら、従来のスラムシャット安全装置１０と対照的に、図３〜５を参照して開示されるスラムシャット安全装置１１０の変形例は、ガイドカラー１６２を含む。図４および５に最良に示されるように、スラムシャット安全装置１１０の現在開示される変形例のガイドカラー１６２は、弁ディスク１２２に接続され、少なくとも部分的にリセットピン１３６の上に延在する中空円筒部分１７４を含む。より具体的には、本変形例において、ガイドカラー１６２の第１の末端１６２ａは、本変形例の弁ディスク１２２およびガイドカラー１６２が１つの部品になるように、弁ディスク１２２の周辺部分１６１に一体化して接続される。他の変形例において、ガイドカラー１６２は、ねじ接続部、溶接継手、摩擦嵌合継手、ピン継手、接着剤継手、締結具接続部、または任意の他の好適な手段によって弁ディスクに接続され得る。
【００２２】
図４および５に継続して参照して、ガイドカラー１６２は、スラムシャット本体１５１の喉部１５３内に摺動可能に配設される。より具体的には、スラムシャット安全装置１１０は、ガイド穴１７６を画定し、ガイドカラー１６２は摺動可能に配設される。図３〜５に示されるスラムシャット本体１５１の変形例において、スラムシャット本体１５１は、形成または機械加工され得、そのため、例えば、スラムシャット本体１５１がガイド穴１７６の内壁１７６ａを画定するように、ガイド穴１７６がスラムシャット本体１５１に直接形成される。しかしながら、他の変形例では、ガイド穴１７６および内壁１７６ａを画定するために、中空スリーブがスラムシャット本体１５１の喉１５３に挿入され得る。
【００２３】
スラムシャット安全装置１１０が上述のように構成され、ガイドカラー１６２は弁ディスク１２２およびリセットピン１３６を用いて、スラムシャット軸Ａに沿って移行可能であることが見出され得る。つまり、ガイドカラー１６２は、弁ディスク１２２が開放位置にあるときには、図５に示されるような、退避位置と、弁ディスク１２２が閉鎖位置にあるときに、図４に示されるような、延在位置との間で、スラムシャット軸Ａに沿って移行可能である。退避位置では、ガイドカラー１６２の大部分が、ガイド穴１７６の内側に配設される。さらに、本変形例では、弁ディスク１２２は、ガイドカラー１６２が退避位置にあるときに、スラムシャット本体１５１の喉部１５３の末端表面１５７に当接するように適合される径方向肩部１７５を含み得る。そのため、この退避位置では、弁体１１２内で生じ、弁ディスク１２２に作用するあらゆる流体力がガイドカラー１６２に伝達され、最終的には、スラムシャット本体１５１の喉部１５３によって負担される。同様に、退避位置から離れて延在位置へと変位されると、例えば、弁ディスク１２２が閉鎖位置に到達する前に、弁体１１２中に存在するあらゆる流体力がガイドカラー１６２に伝達され、最終的には、スラムシャット本体１５１の喉部１５３によって負担される。そのため、他の開示される特徴と組み合わせてガイドカラー１６２は、リセットピン１３６から離れて流体力を有効に伝達し、それによって、スラムシャット安全装置１１０の強度、完全性、および有用寿命を最大限にすることが理解されよう。
【００２４】
ガイド穴１７６に対するガイドカラー１６２の変位を容易にするのを支援するために、図３〜５に示されるガイドカラー１６２の変形例は、ガイドカラー１６２と、ガイド穴１７６の内壁１７６ａとの間で配設される１つ以上の位置合わせ部材１８０をさらに含み得る。スラムシャット安全装置１１０の開示される変形例には、ガイド穴１７６の内壁１７６ａは、滑らかな円柱面であり、位置合わせ部材１８０は、ガイドカラー１６２の外壁１８４において形成される対応する円周陥凹１８２内に担持される、弾性材料（例えば、ゴム、プラスチック等）、黒鉛材料、金属材料、または任意の他の好適な材料から構成される、円周形態を含み得る。他の変形例では、ガイドカラー１６２の外壁１８４は、滑らかな円柱面を含み得るが、一方、１つ以上の位置合わせ部材１８０は、ガイド穴１７６の内壁１７６ａに形成される円周陥凹内に担持される。いくつかの変形例において、位置合わせ部材１８０は、ガイドカラー１６２とガイド穴１７６との間に流体密封封止を提供する。いくつかの変形例において、位置合わせ部材１８０は、スラムシャット軸Ａに対してガイドカラー１６２の位置合わせを提供することによって、必ずしも流体密封封止を提供しない。そのような変形例において、弾性位置合わせ部材１８０は、例えば、弁座１２０を係合するときに、スラムシャット軸Ａに対してガイドカラー１６２のいくつかの調節を可能にし得る。さらに、位置合わせ部材１８０は、任意に、ガイドカラー１６２の内部チャンバ１８８と弁体１１２の流体流れ経路１１８との間に流体連結を提供する１つ以上の軸方向の開口部を含み得る。そのような軸方向の開口部は、ガイドカラー１６２が弁ディスク１２２とともに変位するときに、流体を内部チャンバ１８８中に、そしてそれから外へ排出することができ、それによって、装置１１０の動作中、チャンバ１８８内に生じる任意の吸引および／または圧縮の作用を低減させる。図４および５に開示されるもののような、他の変形例において、流体は、弁ディスク１２２の中央開口部１２２ａを通ってガイドカラー１６２の内部チャンバ１８８中に、そしてそれから外へ排出することができる。つまり、図５に示されるように、閉鎖位置以外のすべての位置では、プラグ支持部１６０の肩表面１９７は、第２の封止挿入体１９５（図５を参照のこと）から離間し得、それによって、プラグ支持部１６０の突出部１６６と、内部チャンバ１８８中に、そしてそれから外への流体流れに対応させるために流れ経路を画定する中央開口部１２２ａとの間に小さなギャップを開放する。
【００２５】
前述から、スラムシャット安全装置１１０の開示される構成は、弁ディスク１２２の動作および動きにおける流体移動の作用を有利に最小限に抑え、そうでなければリセットピン１３６自体によって少なくとも部分的に負担されたであろうスラムシャット本体１５１
によって負担される力を偏向させることによって、リセットピン１３６の構造完全性を維持し得ることが理解されるべきである。したがって、この構築物は、意図される機能性を維持し、スラムシャット安全装置１１０の有用寿命を最大限にする。したがって、力を記載される様式で伝達するためにガイド穴によって誘導されガイド穴にかかる本明細書に記載されるガイドカラーのいずれの変形例も、弁ディスクに隣接した弁体内に生じた流体力の有害作用からリセットピンを保護するために弁ディスクに連結される手段と称され得る。
【００２６】
スラムシャット装置のある特定の代表的な変形例および詳細を、本発明を例示する目的で本明細書に記載されてきたが、本発明の精神および範囲を逸脱することなく、開示される装置における様々な変更をなし得、以下の特許請求の範囲によって定義され、前述による任意の様式において制限されないことは、当業者には明らかであろう。
【図１】
0006362175.tif 000002
【図２】
0006362175.tif 000003
【図３】
0006362175.tif 000004
【図４】
0006362175.tif 000005
【図５】
0006362175.tif 000006